(57)【要約】      （修正有） 【課題】電線の円滑な操出し、巻取りを維持でき、使用寿命の長い電線巻取装置を提供する。【解決手段】第１カバー１と、第２カバー２と、巻取盤３と、電線４と、渦巻きばね５と、位置決め球体６とを含んでなる。第１カバーの内側の面の中心の位置に中心軸１１を一体に形成し、中心軸には軸方向に沿って外周面に嵌着溝１２を形成し、嵌着溝には渦巻きばねの中心側の一端を嵌着して固定し、渦巻きばねの外側の一端は巻取盤に接続し、巻取盤が正転、もしくは逆転すると、渦巻きばねが収縮、もしくは解放され電線巻取りの主要な力となるように構成する。第２カバーの巻取盤に対応する面にレールを形成し、位置決め球体を設け、レールによって位置決め球体が、巻取盤の正転、逆転に合わせて位置決めできるように構成する。【選択図】図２
0003188729.tif 000002
【実用新案登録請求の範囲】
【請求項１】
第１カバーと、第２カバーと、巻取盤と、電線と、渦巻きばねと、位置決め球体とを含んでなる電線巻取装置であって、
該第１カバーの内側の面の中心の位置に中心軸を一体に形成し、該中心軸には軸方向に沿って外周面に嵌着溝を形成し、該嵌着溝には該渦巻きばねの中心側の一端を嵌着して固定し、
該渦巻きばねの外側の一端は該巻取り盤に接続し、該巻取り盤が正転、もしくは逆転すると、該渦巻きばねが収縮、もしくは解放され電線巻取りの主要な力となるように構成し、
該第２カバーの該巻取盤に対応する面にレールを形成し、該位置決め球体を設け、第レールによって該位置決め球体が、該巻取盤の正転、逆転に合わせて位置決めできるように構成し、
該巻取盤の該第２カバーに対応する面に主要溝と、該主要溝から分岐する側道溝とに分けられるスライド溝を形成し、かつ該主要溝に合わせて溝を形成して、該主要溝全体が該位置決め球体の圧力を受けた場合、球体を弾性的に浮かすように構成することを特徴とする電線巻取装置。
【請求項２】
前記巻取盤の一方の面に複数の滑動球体を設けることを特徴とする請求項１に記載の電線巻取装置。
【請求項３】
前記第２カバーの電線が出入りする口には、別途ガイド桿を回動自在に軸支することを特徴とする請求項１に記載の電線巻取装置。
【請求項４】
前記中心軸の上端に強化キャップを冠着することを特徴とする請求項１に記載の電線巻取装置。
【考案の詳細な説明】
【技術分野】
【０００１】
この考案は電線巻取装置に関し、特にコンピュータ用データ転送ケーブル、通信機器用の送受信ケーブル、もしくは電源コードなどのコード、ケーブル類の電線を巻き取り、操出しするための電線巻取装置に関する。
【背景技術】
【０００２】
従来のコードを巻き取る方式の電線巻取装置は、例えば図８、９に開示するように、第１カバーＡ１と、渦巻きばねＡ２と、スライド座Ａ３と、電線Ａ４と、位置決め球体Ａ５と、及び第２カバーとによってなり、スライド座Ａ３に設けた渦巻きばねＡ２の付勢力を利用して繰り出した電線Ａ４を巻取り、元の位置に復帰させる。また、  電線Ａ４の位置決めには位置決め球体５を用いる。
【０００３】
位置決め球体Ａ５に位置決めの作用を持たせるためには、スライド座Ａ３の底面に複数の球体レールＡ３１を形成し、球体レールＡ３１内において位置決め球体Ａ５が転動し、嵌着して位置決めの作用を発揮する。
【０００４】
然しながら、電線Ａ４を操出し、巻取りする場合、スライド座Ａ３が高速で作動すると、スライド座Ａ３の底面に形成した球体レールＡ３１も同期して作動する。球体レールＡ３１が高速で回転することは、位置決め球体Ａ５が球体レールＡ３１内を転動、嵌着するために必要な安定性を欠くことになり、位置決め球体Ａ５の動作に誤差を生じさせることになる。
【０００５】
また、係るスライドレールの形成は、サイズに対する高い精度が要求される。よって、金型作成時において、相当の困難を招き、かつ生産時における歩留り低下の問題が発生する。係る事態は製造コストの増加に繋がり、製品はコストの問題で市場における競争力を失う。
【０００６】
さらに、球体レールＡ３１の幅、長さなどのサイズに誤差があった場合、もしくは摩耗が進行した場合は、位置決め球体Ａ５が球体レールＡ３１から容易に離脱し、位置決めの作用を完全に喪失する。よって、電線Ａ４が引っ掛かり繰り出すことができない、もしくは位置決めすることができないなどの不具合が発生する。即ち、商品の使用寿命が短いという欠点をも有する。
【考案の概要】
【考案が解決しようとする課題】
【０００７】
この考案は、電線の円滑な操出し、巻取りを維持でき、使用寿命の長い電線巻取装置を提供することを課題とする。
【課題を解決するための手段】
【０００８】
そこで、本考案者は、第１カバーと、第２カバーと、巻取盤と、電線と、渦巻きばねと、位置決め球体とを含んでなる電線巻取装置によって課題を解決できる点に着眼し、係る知見に基づいて本考案を完成させた。以下、この考案について具体的に説明する。
【０００９】
請求項１に記載する電線巻取装置は、第１カバーと、第２カバーと、巻取盤と、電線と、渦巻きばねと、位置決め球体とを含んでなる電線巻取装置であって、
該第１カバーの内側の面の中心の位置に中心軸を一体に形成し、該中心軸には軸方向に沿って外周面に嵌着溝を形成し、該嵌着溝には該渦巻きばねの中心側の一端を嵌着して固定し、
該渦巻きばねの外側の一端は該巻取り盤に接続し、該巻取り盤が正転、もしくは逆転すると、該渦巻きばねが収縮、もしくは解放され電線巻取りの主要な力となるように構成し、
該第２カバーの該巻取盤に対応する面にレールを形成し、該位置決め球体を設け、第レールによって該位置決め球体が、該巻取盤の正転、逆転に合わせて位置決めできるように構成し、
該巻取盤の該第２カバーに対応する面に主要溝と、該主要溝から分岐する側道溝とに分けられるスライド溝を形成し、かつ該主要溝に合わせて溝を形成して、該主要溝全体が該位置決め球体の圧力を受けた場合、球体を弾性的に浮かすように構成する。
【００１０】
請求項２に記載する電線巻取装置は、請求項１における記巻取盤の一方の面に複数の滑動球体を設ける。
【００１１】
請求項３に記載する電線巻取装置は、請求項１における第２カバーの電線が出入りする口には、別途ガイド桿を回動自在に軸支する。
【００１２】
請求項４に記載する電線巻取装置は、請求項１における中心軸の上端に強化キャップを冠着する。
【図面の簡単な説明】
【００１３】
【図１】この考案による電線巻取装置の外観を示した斜視図である。
【図２】図１に開示する電線巻取装置の構造を示した分解図である。
【図３】この考案における第２カバー上における各部材の関係を示した説明図である。
【図４】この考案における巻取り盤を示した平面図である。
【図５】この考案による電線巻取装置であって、単一方向に繰出す形式を示した説明図である。
【図６】この考案における巻取盤の主要溝と側道溝における球体の動きを示した説明図である。
【図７】この考案における巻取盤の溝と球体の動きを示した説明図である。
【図８】図１に開示する電線巻取装置の構造を示した他の分解図である。
【図９】従来の電線巻取装置の構造を示した説明図である。
【考案を実施するための形態】
【００１４】
この考案は、電線の円滑な操出し、巻取りを維持でき、使用寿命の長い電線巻取装置を提供するものであって、第１カバーと、第２カバーと、巻取盤と、電線と、渦巻きばねと、位置決め球体とを含んでなる。係る電線巻取装置の特徴を説明するために、具体的な実施例を挙げ、図面を参照にして以下に詳述する。
【実施例】
【００１５】
図１、２に開示するように、この考案による電線巻取装置は、第１カバー１と、第２カバー２と、巻取盤３と、電線４と、渦巻きばね５と、位置決め球体６とを含んでなる。
【００１６】
第１カバー１は、内側の面の中心の位置に中心軸１１を一体に形成し、中心軸１１には軸方向に沿って外周面に嵌着溝１２を形成する。嵌着溝１２には渦巻きばね５の中心側の一端を嵌着して固定する。
【００１７】
また、中心軸１１の上端には強化キャップ１１０を冠着する。強化キャップ１１０を冠着することによって、第１カバー１と第２カバー２との間に発生する渦巻きばね５に対する応力を高めるのみならず、渦巻きばね５の固定の堅牢性と安定性が得られる。
【００１８】
また、渦巻きばね５の外側の一端は巻取り盤３に接続する。よって、巻取り盤３が正転、もしくは逆転すると、渦巻きばね５は収縮、もしくは解放される。かかる渦巻きばね５の収縮、解放が、この考案による電線巻取装置の電線巻取りの主要な力となる。
【００１９】
電線４は、巻取り盤３に巻き付けて設ける。巻取り盤３は上、中、下段に分けられ電線は巻取り盤３の中段に巻き付けて、かつ上段と下段から両端がそれぞれ外部に出る。係る構成によって、電線４を両方向に繰出すことのできるように構成することができる。但し、図５に開示するように、単一の方向に電線４を繰り出すようにしてもよい。この場合、同様に電線４を巻取り盤３に巻き付け、電線４の一端を固定端４１として固定端４１を固定する。よって、電電４は単一方向にのみ繰り出し、渦巻きばね５を収縮、解放させる。
【００２０】
この考案による電線巻取装置の電線位置決めシステムは、巻取盤３と、第２カバー２の巻取盤３に対応する面と、位置決め球体６とによって構成する。即ち、第２カバー２の巻取盤３に対応する面にレール２１を形成し、位置決め球体６を設ける。レール２１は複数の機能を具え、位置決め球体６が、巻取盤３の正転、逆転に合わせて位置決めできるようにする。
【００２１】
図３に開示するように位置決め球体３は離脱と嵌合とを繰り返し行う作用を有する。即ち、位置決め球体６は巻取盤３の第２カバー２に対応する面にスライド溝３１を形成し、位置決め球体６が嵌合して移動する、離脱して他方向に移動するという二種類の運動を行わせる、
【００２２】
図４、６に開示するように、巻取盤３の第２カバー２に対応する面に形成したスライド溝３１は、主要溝３１１と、主要溝３１１から分岐する側道溝３１２とに分けられ、電線４を高速で操出し、もしくは収納する場合、位置決め球体６は「嵌合して移動する」、「離脱して他方向に移動する」という二種類の運動を主要溝３１１と側道溝とにおいて順に繰り返して行う。即ち、電線４が引っ張られ、位置決め球体６が嵌合して移動する場合、位置決め球体６は主要溝３１１に進入し、嵌合、位置決めの機能を発揮する。電線４が巻き取られ、収納されると、位置決め球体６は瞬時に側道溝３１２に移動し、電線４が緩み、巻き取られる。この場合、主要溝３１１における嵌合の状態から離れる。よって、位置決め球体６の摩耗を抑え、保護を与えることができ、位置決め球体６の使用寿命を延長することができる。
【００２３】
また、前記主要溝３１１に合わせて溝３１１１を形成することによって、主要溝３１１全体が位置決め球体６の圧力を受けた場合、さらに球体を弾性的に浮かす機能を派生させることができる、即ち、図７に開示するように、位置決め球体６が高速で転動する場合、位置決め球体６は主要溝３１１上に在り、溝３１１１の具える弾性によって、微小ながら上下に浮き上がって転動する。よってカバーとレールとの間にあって、位置決め球体６は発生する摩耗、振動、及び微小な誤差値を修正し、位置決め球体６のレール２１における良好かつ正確な運動が得られる。
【００２４】
図２、３に開示するように、この電線巻取装置においては、摩擦力の問題を改善して渦巻ばね５の負荷を低減させるために、巻取盤３の一方の面に複数の滑動球体３１３を設ける。よって、転動のためのエネルギーを減少させ、巻取盤３の一方の面に発生する摩擦の力を効率よく抑制し、渦巻ばね５の負荷となる応力を解放することができる。このため、この考案による電線巻取装置を取り扱う場合、操作上の円滑な感覚が達成される。
【００２５】
また、第２カバー２の電線が出入りする口には、別途ガイド桿２３を回動自在に軸支してもよい。ガイド桿２３は電線４を正確にガイドし、渦巻ばね５の負荷を低減させる。よって、操作上のさらなる円滑な感覚が得られる。
【符号の説明】
【００２６】
１            第１カバー
１１   中心軸
１１０ 強化キャップ
１２   嵌着溝
２            第２カバー
２１   レール 
２３   ガイド桿
３            巻取盤
３１   スライド溝    
３１１ 主要溝
３１１１      溝
３１２ 側道溝
４            電線
５            渦巻きばね
６            位置決め球体
【図１】
0003188729.tif 000003
【図２】
0003188729.tif 000004
【図３】
0003188729.tif 000005
【図４】
0003188729.tif 000006
【図５】
0003188729.tif 000007
【図６】
0003188729.tif 000008
【図７】
0003188729.tif 000009
【図８】
0003188729.tif 000010
【図９】
0003188729.tif 000011